(57)【要約】【課題】表示部材の表示面の向きを小さな力で調整することができ使い勝手を向上させる上で有利な表示装置を提供する。【解決手段】表示装置１０は、表示部材１２と、載置面２上に載置される載置部材１４とを備え、表示部材１２と載置部材１４とは連結機構１６によって連結されている。載置部材１４は、各回転軸１４０６が表示部材１２の不図示の軸受にそれぞれ回転可能に支持されている。連結機構１６は、固定ギア１４０８と、ギアダンパー１８と、切換手段２０とを備えている。ギアダンパー１８は、固定ギア１４０８に噛合するギア部１８０２を有し、ギア部１８０２に回転方向の力が与えられると、該ギア部１８０２は前記回転方向に対して所定の抵抗力（トルク）を発生しつつ回転されるように構成されている。【選択図】        図５
2005164841.tif 000002
【特許請求の範囲】
【請求項１】
画像を表示する表示面を有する板状の表示部材と、
載置面上に載置される載置部材と、
前記表示部材と前記載置部材とを回転軸を介して連結する連結機構とを備え、
前記載置部材が載置面に載置され前記表示部材を前記載置面上で起立させた状態で前記表示部材が回転軸を中心に回動されることで前記表示面の向きが調整される表示装置であって、
前記連結機構は、
前記回転軸と同軸上に設けられ前記表示部材または載置部材の一方に固定された固定ギアと、
前記表示部材または載置部材の他方に設けられ前記固定ギアに噛合するギア部とこのギア部を支持する支軸部とを有し前記支軸部上でのギア部の回転時に該回転に対する抵抗力を発生するギアダンパーと、
前記ギアダンパーのギア部の回転の許容と阻止とを切り換える切換手段と、
を備えることを特徴とする表示装置。
【請求項２】
前記切換手段は回転不能で前記ギアダンパーのギア部に噛合可能なギア部材と、前記ギア部材をギアダンパーのギア部に噛合する方向に付勢する付勢部材と、前記ギア部材をギアダンパーのギア部から離れる方向に移動させる操作部材とを備えていることを特徴とする請求項１記載の表示装置。
【請求項３】
前記ギア部材および付勢部材は前記ギアダンパーに近接した箇所に設けられたケースの内部に設けられ、前記操作部材は軸状に形成されその先端が前記ケースの内部で前記ギア部材に臨みその他端が前記ケースの外方に突出するように付勢されて配設されていることを特徴とする請求項１記載の表示装置。
【請求項４】
前記表示部材は横方向に延在する長さと縦方向に延在する高さとを有し、前記固定ギアおよびギアダンパーは前記長さ方向に間隔をおいた２箇所に設けられ、前記切換手段は前記２箇所のうちの少なくとも１箇所に設けられていることを特徴とする請求項１記載の表示装置。
【請求項５】
前記表示部材は表示面を有する前面とその前面の反対側に位置する背面とを有し、前記固定ギアは前記載置部材に設けられ、前記ギアダンパーおよび切換手段は前記表示部材の背面の下部に設けられていることを特徴とする請求項１記載の表示装置。
【発明の詳細な説明】
【技術分野】
【０００１】
本発明は画像を表示する表示装置に関する。
【背景技術】
【０００２】
コンピュータやテレビジョン装置などの画像を表示する表示装置では、画像を表示する表示面を有する板状の表示部材と、テーブルなどの載置面上に載置される載置部材と、表示部材と載置部材とを回転軸を介して連結する連結機構とを備え、載置部材が載置面に載置され表示部材を載置面上で起立させた状態で表示部材が回転軸を中心に回動されることで表示面の向きが調整されるように構成されたものが提供されている。
そして、前記連結機構として、表示部材の回転軸回りの回転位置を所定の保持力で保持させるために、トルクばねとフリクションワッシャを用いたものが提案されている（例えば特許文献１参照）。
【特許文献１】特開２０００−２４２３６３号公報
【発明の開示】
【発明が解決しようとする課題】
【０００３】
しかしながら、上述の従来装置においては、前記表示部材の重量を確実に保持する必要性から前記保持力が強い値に設定されており、表示部材の向きを調整するためには大きな力が必要なることが多く使い勝手がよいものとはいえなかった。
本発明はこのような事情に鑑みなされたものであり、本発明の目的は表示部材の表示面の向きを小さな力で調整することができ使い勝手を向上させる上で有利な表示装置を提供することにある
【課題を解決するための手段】
【０００４】
上述の目的を達成するため、本発明の表示装置は、画像を表示する表示面を有する板状の表示部材と、載置面上に載置される載置部材と、前記表示部材と前記載置部材とを回転軸を介して連結する連結機構とを備え、前記載置部材が載置面に載置され前記表示部材を前記載置面上で起立させた状態で前記表示部材が回転軸を中心に回動されることで前記表示面の向きが調整される表示装置であって、前記連結機構は、前記回転軸と同軸上に設けられ前記表示部材または載置部材の一方に固定された固定ギアと、前記表示部材または載置部材の他方に設けられ前記固定ギアに噛合するギア部とこのギア部を支持する支軸部とを有し前記支軸部上でのギア部の回転時に該回転に対する抵抗力を発生するギアダンパーと、前記ギアダンパーのギア部の回転の許容と阻止とを切り換える切換手段とを備えることを特徴とする。
【発明の効果】
【０００５】
そのため、本発明によれば、表示部材の向きの調整は、切換手段によりギアダンパーのギア部の回転を許容した状態で表示部材をギアダンパーによって生じる抵抗力に抗して回転軸回りに回動させ、所望の向きが得られた状態で切換手段によりギアダンパーのギア部の回転を禁止することによってなされる。
したがって、表示部材の表示面の向きを調整する際には、表示部材の自重によって生じる力とギアダンパーによって生じる抵抗力とが合成された力を上回る力を表示部材に加えれば済むため、表示部材の向きを小さな力で調整することができ使い勝手を向上させる上で有利となる。
【発明を実施するための最良の形態】
【０００６】
表示部材の表示面の向きの調整を容易に行なうという目的を、表示部材と載置部材とを回転軸を介して連結する連結機構に、回転軸と同軸上に設けられ前記表示部材または載置部材の一方に固定された固定ギアと、表示部材または載置部材の他方に設けられ固定ギアに噛合するギア部を有するギアダンパーと、ギアダンパーのギア部の回転の許容と阻止とを切り換える切換手段とを設けることで実現した。
【実施例１】
【０００７】
次に本発明の実施例１について図面を参照して説明する。
図１は実施例１の表示装置の正面図、図２は実施例１の表示装置の側面図、図３は実施例１の表示装置の背面図、図４は設置部材の説明図、図５は連結機構の構成を示す説明図、図６は連結機構の動作説明図である。
【０００８】
図１乃至図３に示すように、表示装置１０は、表示部材１２と、載置面２上に載置される載置部材１４とを備え、表示部材１２と載置部材１４とは連結機構１６によって連結されている。
表示部材１２は外装を構成するカバー１２０１を有し、該カバー１２０１は、横方向に延在する長さと縦方向に延在する高さとを有したほぼ矩形板状に形成され、表示面１２０２を有する前面１２０４とその前面１２０４の反対側に位置する背面１２０６とを有している。
載置部材１４は、図４に示すように、直線状に形成された第１アーム１４０２と、第１アーム１４０２の両端からそれぞれ第１アーム１４０２に対して直交する方向に延出され同一平面上に位置する一対の第２アーム１４０４とを有している。
第２アーム１４０２のそれぞれの先端部分には、第１アーム１４０２の延在方向と平行する方向で互いに外方に向けて回転軸１４０６が突設されている。
載置部材１４は、各回転軸１４０６が表示部材１２の背面１２０６側の下部で前記横方向に間隔をおいた２箇所に設けられた不図示の軸受にそれぞれ回転可能に支持されており、これにより、載置部材１４が載置面２に載置され表示部材１２を載置面２上で起立させた状態で表示部材１２が回転軸１４０６を中心に回動されることで表示面１２０２の向きが調整されるように構成されている。
【０００９】
連結機構１６は、前記２本の回転軸１４０６に加え、図５に示すように、固定ギア１４０８と、ギアダンパー１８と、切換手段２０とを含んで構成されている。
固定ギア１４０８は、第２アーム１４０２のそれぞれに回転軸１４０６と同軸上で半円弧状に延在形成されている。本実施例では、固定ギア１４０８はほぼ１８０度の範囲で延在形成されている。
図３に示すように、ギアダンパー１８は、表示部材１２の背面１２０６側の下部で横方向に間隔をおいた２箇所にそれぞれ設けられている。
図５に示すように、各ギアダンパー１８は、固定ギア１４０８に噛合する円環状に形成されたギア部１８０２と、ギア部１８０２の内周に設けられ該ギア部１８０２を回転可能に支持する支軸部１８０４とを有し、該支軸部１８０４は表示部材１２側に固定されている。
そして、ギア部１８０２の内周と該内周に面した支軸部１８０４の外周との間に例えば高い粘性を有する粘性体（油）が封入され、あるいは摩擦係数の大きな部材が介在されており、ギア部１８０２に回転力が与えられると、言い換えると支軸部１８０４上でのギア部１８０２の回転時に、該ギア部１８０２は前記回転方向に対して所定の抵抗力（トルク）を発生しつつ回転されるように構成されている。このようなギアダンパー１８としては、例えば株式会社ニフコのオイルダンパーなどの市販品が用いられる。
なお、ギアダンパー１８の抵抗力は、表示部材１２の自重によって表示部材１２が急激に回転しない程度に設定されている。
【００１０】
図６に示すように、切換手段２０は、ギアダンパー１６０２のギア部１６０４の回転の許容と阻止とを切り換えるものであり、２つのギアダンパー１８の少なくとも一方に近接した表示部材１２の箇所に設けられている。
切換手段２０は、ギアダンパー１８に近接した箇所に設けられたケース２００１と、ギア部材２００２と、付勢部材２００４と、操作部材２００６とを備えている。
ギア部材２００２はギア部１８０２に噛合可能な静止用ギア部２００２Ａを有し、静止用ギア部２００２Ａがギア部１８０２に対して離間接近する方向に移動可能にかつ回転不能にケース２００１の内部に配設されている。
付勢部材２００４は、ケース２００１の内部に設けられ、ギア部材２００２を静止用ギア部２００２Ａがギア部１８０２に噛合する方向に付勢するよう配設されている。
操作部材２００６は、軸状に形成されその先端がケース２００１の内部でギア部材２００２に臨みその他端がケース２００１の外方に突出し、更に該先端はカバー１２０１の背面１２０６に設けられた開口を介してカバー１２０１の後方に臨むようにばね部材２００８によって付勢されて配設されている。
図６（Ａ）に示すように、操作部材２００６が押圧操作されない状態では、ギア部材２００２が付勢部材２００４により付勢され静止用ギア部２００２Ａがギアダンパー１８のギア部１８０２に噛合し、ギア部１８０２の回転が阻止されている。
一方、図６（Ｂ）に示すように、操作部材２００６がばね部材２００８および付勢部材２００４の付勢力に抗して押圧操作された状態では、静止用ギア部２００２Ａがギアダンパー１８のギア部１８０２から離れ、ギア部１８０２の回転が許容される。
【００１１】
次に、表示装置１０の作用効果について説明する。
表示装置１０の表示面１２０２の向きを変える際には、図２に示すように、載置部材１４を載置面２上に載置され表示部材１２を載置面２上で起立させた状態で、図６（Ａ）に示すように、操作部材２００６を押圧操作することにより、切換手段２０によってギア部１８０２の回転が許容された状態とする。
この状態では、表示部材１２を把持しギアダンパー１８によって発生される抵抗力に抗して回転軸１４０６回り方向に後述する力を加えることによって表示部材１２を任意の回転位置に回転させ、表示部材１２の表示面１２０２の向きを所望の位置に調整する。
表示部材１２の回転位置を固定する際には、操作部材２００６への押圧を解除すれば、切換手段２０によってギア部１８０２の回転が阻止され、表示部材１２の回転軸１４０６回りの回転が禁止され、表示部材１２の表示面１２０２の向きが確実に固定される。
【００１２】
表示部材１２を回転するために必要な力は、表示部材１２の自重によって生じる力Ｐ１とギアダンパー１８によって生じる抵抗力Ｐｒとが合成された力を上回ればよく、詳細に説明すると次の通りである。
（１）表示部材１２の自重によって作用する力が回転方向と同じ場合には、ギアダンパー１８によって発生する抵抗力Ｐｒから表示部材１２の自重によって作用する回転方向の力Ｐ１を差し引いた力（Ｐｒ−Ｐ１）を上回る力を表示部材１２に加えればよい。なお、Ｐｒ＜Ｐ１であれば、表示部材１２にほとんど力を加えること無く表示部材１２を回転させることができる。
（２）表示部材１２の自重によって作用する力が回転方向と反対の場合には、ギアダンパー１８によって発生する抵抗力Ｐｒと表示部材１２の自重によって作用する回転方向の力Ｐ１とを足し合わせた力（Ｐｒ＋Ｐ１）を上回る力を表示部材１２に加えればよい。
したがって、（２）の場合はギアダンパー１８の抵抗力Ｐｒと表示部材１２による力Ｐ１の和を上回る程度の力で表示部材１２を動かすことができ、（１）の場合には（２）の場合よりも更に小さい力で表示部材１２を動かすことができ、何れの場合にも表示部材１２の表示面１２０２の向きを小さな力で調整することができ使い勝手を向上させる上で有利となる。
また、表示部材１２が回転する際には、ギアダンパー１８によって所定の抵抗力Ｐｒが発生するため、表示部材１２の移動速度が安定することから表示部材１２の移動を円滑に行なうことができ、表示部材１２の調整をスムースに行なう上で有利となる。
また、切換手段２０は、ギア部材２００２の静止用ギア部２００２Ａをギアダンパー１８のギア部１８０２に噛合させることでギア部１８０２の回転を阻止するため、表示部材１２の回転軸１４０６回りの回転位置、すなわち表示面１２０２の向きを細かく調整する上で有利となる。
また、ギア部材２００２、付勢部材２００４、操作部材２００６を予めケース２００１に組付けておけば、組立作業を簡素化する上で有利となる。
また、従来のばねヒンジや油圧ヒンジを用いた表示装置は、これらばねヒンジや油圧ヒンジの占有スペースも大きくコストもかかる欠点があったが、本実施例の表示装置１０では、ギアダンパー１８および切換手段２０の占有スペースが少なくて済み、また、コストも比較的安価で済む利点がある。
【００１３】
なお、本実施例では、固定ギア１４０８を載置部材１４に設けるとともにギアダンパー１８を表示部材１２に設けたが、これとは逆に、固定ギア１４０８を表示部材１２に設けるとともにギアダンパー１８を載置部材１４に設けてもよい。
【図面の簡単な説明】
【００１４】
【図１】実施例１の表示装置の正面図である。
【図２】実施例１の表示装置の側面図である。
【図３】実施例１の表示装置の背面図である。
【図４】設置部材の説明図である。
【図５】連結機構の構成を示す説明図である。
【図６】連結機構の動作説明図である。
【符号の説明】
【００１５】
２……載置面、１０……表示装置、１２……表示部材、１２０２……表示面、１４……載置部材、１６……連結機構、１４０６……回転軸、１４０８……固定ギア、１８……ギアダンパー、１８０２……ギア部、１８０４……支軸部、２０……切換手段。
【図１】
2005164841.tif 000003
【図２】
2005164841.tif 000004
【図３】
2005164841.tif 000005
【図４】
2005164841.tif 000006
【図５】
2005164841.tif 000007
【図６】
2005164841.tif 000008